(57)【要約】【課題】車両の比較的軽微なキズやへこみ等の軽補修を、当該車両が置いてある駐車場やガソリンスタンドといった専門工場以外の任意の場所に出向いて、簡単に且つ衛生的に行うことができるように工夫した車両用軽補修システムを提供する。【解決手段】補修専用車両ＡＭの荷台に軽補修に必要な各種資材や機材及び装置類と、分解した簡易組立式軽補修用ブースＴＢを積み込んで、現地に出向いて該ブースＴＢを組立て、積み込んである各種資材や機材及び装置類を用いて車両の補修箇所を軽補修する。【選択図】      図１
2004344817.tif 000002
【特許請求の範囲】
【請求項１】
車両の比較的軽微なキズやへこみ等の軽補修を、補修専用車両を用いて依頼先に出向いて行う車両用軽補修システムであって、
荷台に組み付けた工具作業棚に、少くとも塗料データを格納したマイクロフイルム検索用のマイクロフイルムリーダと、塗料調色用のハカリと、調色データの実車見本帳が載置又は収納される載置棚と、塗料を収容した多数の塗料容器が載置される塗料棚と、塗装用溶剤が収納される溶剤収納棚と、接着テープやパテ、或は、マスキングペーパ等の補修用の副資材を収納することができる収納棚を設けた補修専用車両と、
全体をテント式に組立てることができ、且つ、これを分解して上記補修専用車両の荷台に積込み可能に構成した簡易組立式軽補修用ブースと、
上記補修専用車両の荷台に積込み可能に構成した軽補修用の各種機材及び装置類と、
によって構成したことを特徴とする車両用軽補修システム。
【請求項２】
前記テント式に組立てることができる簡易組立式軽補修用ブースが、ブース内を換気する換気装置を備え、且つ、開口したブースの一側にマスキングフイルムを交換自在に張設して、車両の補修箇所に位置を合せてこのマスキングフイルムに補修穴を開口形成し、該補修穴の周縁をマスキングテープを用いて上記補修箇所を囲むように車体側に接着して、換気の環境下にあるブース内部から補修穴に囲まれた補修箇所を補修するように構成されていることを特徴とする請求項１に記載の車両用軽補修システム。
【請求項３】
前記補修専用車両の荷台に組み付けた工具作業棚に、軽鈑金工具やサンディング機材、塗装機材、及び、塗装乾燥機から成る各種機材及び装置類を積込むためのスペースが設けられていることを特徴とする請求項１に記載の車両用軽補修システム。
【発明の詳細な説明】
【０００１】
【発明の属する技術分野】
本発明は、車両の比較的軽微なキズやへこみ等の補修と塗装（以下単に補修という）を、依頼先に出向いて行うことができる車両用軽補修システムに関するものである。
【０００２】
【従来の技術】
車両のキズやへこみを補修するには、一般的に、補修箇所の塗膜剥離作業→パテ付け作業→パテ研ぎ作業→サフェーサー研磨作業→マスキングと塗装作業→ポリッシング・完成検査作業、を行う必要があり、また、作業中は塗膜剥離・研磨・ポリッシングの各作業や塗装作業時に可成り多くのミストや粉塵が周囲に飛散するため、作業員の健康悪化や周辺の環境悪化を防ぐために、これ等飛散するミストや粉塵を集塵する機能と、塗装を乾燥させる機能を備えた専用の塗装ブース内に車両を持ち込んで、各作業を行う必要がある。
【０００３】
【発明が解決しようとする課題】
しかし、上記集塵機能や乾燥機能を備えた塗装ブースは、専門の鈑金塗装工場や車体整備工場等に設置されているだけなため、僅かなキズやへこみであっても車両をいちいち鈑金塗装工場等に持ち込む必要があって、非常に煩雑であると共に、補修コストが高くなる問題があった。
【０００４】
そこで本発明の技術的課題は、車両の比較的軽微なキズやへこみ等の軽補修を、当該車両が置いてある駐車場やガソリンスタンドといった専門工場以外の任意の場所に出向いて、簡単に且つ衛生的に行うことができるように工夫した車両用軽補修システムを提供することである。
【０００５】
【課題を解決するための手段】
（１）  上記の技術的課題を解決するために、本発明に係る車両用軽補修システムは、前記請求項１に記載の如く、車両の比較的軽微なキズやへこみ等の軽補修を、補修専用車両を用いて依頼先に出向いて行う車両用軽補修システムであって、荷台に組み付けた工具作業棚に、少くとも塗料データを格納したマイクロフイルム検索用のマイクロフイルムリーダと、塗料調色用のハカリと、調色データの実車見本帳が載置又は収納される載置棚と、塗料を収容した多数の塗料容器が載置される塗料棚と、塗装用溶剤が収納される溶剤収納棚と、接着テープやパテ、或は、マスキングペーパ等の補修用の副資材を収納することができる収納棚を設けた補修専用車両と、全体をテント式に組立てることができ、且つ、これを分解して上記補修専用車両の荷台に積込み可能に構成した簡易組立式軽補修用ブースと、上記補修専用車両の荷台に積込み可能に構成した軽補修用の各種機材及び装置類と、によって構成したことを特徴としている。
【０００６】
（２）  また、本発明は前記請求項２に記載の如く、前記テント式に組立てることができる簡易組立式軽補修用ブースが、ブース内を換気する換気装置を備え、且つ、開口したブースの一側にマスキングフイルムを交換自在に張設して、車両の補修箇所に位置を合せてこのマスキングフイルムに補修穴を開口形成し、該補修穴の周縁をマスキングテープを用いて上記補修箇所を囲むように車体側に接着して、換気の環境下にあるブース内部から補修穴に囲まれた補修箇所を補修するように構成されていることを特徴としている。
【０００７】
（３）  更に本発明では、前記請求項３に記載の如く、前記補修専用車両の荷台に組み付けた工具作業棚に、軽鈑金工具やサンディング機材、塗装機材、及び、塗装乾燥機から成る各種機材及び装置類を積込むためのスペースが設けられていることを特徴としている。
【０００８】
上記（１），（２），（３）で述べた本発明に係る車両用軽補修システムによれば、補修専用車両の荷台には、車両の軽補修に必要な各種機材や装置類、或は、塗料データ検索用のリーダ、塗料調色用ハカリ、調色データ実車見本、塗料容器、溶剤、及び、補修用の副資材等が、工具作業棚に整然と並べて搭載されており、加えて、簡易組立式軽補修用ブースも積込まれている。従って、例えば電話やメール等で補修の依頼があった場合には、依頼先の駐車場や空き地等に出向いて現地で補修用ブースを組立て、このブースの中に作業員が入って衛生的な環境下で補修専用車両に搭載されている各種の機材や装置類、及び、塗料等を用いて、車両の補修を極めて能率的に、且つ、迅速に行うことを可能にする。
【０００９】
【発明の実施の形態】
以下に、本発明に係る車両用軽補修システムの実施の形態を図面と共に説明すると、図１は本発明で使用する補修専用車両ＡＭの構成の一例を示した平面図、図２は該車両ＡＭの荷台に組み込まれる工具作業棚１０の一例を示した斜視図であって、補修専用車両ＡＭとしては、例えば、運転席の両側と荷台側の左右と後部に夫々ドアーＭＫ，ＭＫとＲＫを有するファイブドアー形式の小型の既存車両をそのまま改良して使用する。
【００１０】
次に、上記工具作業棚１０の構成と、この工具作業棚１０に載置及び収納される機材や装置類等を、図１、図２並びに図３、図４に従って説明する。
図中、１１，１１′は補修専用車両ＡＭの荷台上に敷設固定する基板で、基板１１，１１′の間には荷台の形状に合せて段差１１Ａが設けられている。運転席に近い前部の基板１１上には、支持脚に支持された状態で、塗料データを格納したマイクロフイルム検索用のマイクロフイルムリーダ３５（図４）が載置される載置台１２Ａと、塗料調色用ハカリ３６（図４）が載置される載置台１２Ｂと、調色データの実車見本帳３４（図３）が載置される載置台１２Ｃを、一体に連設した載置棚１２が設けられている。
【００１１】
１１Ｓは上記載置棚１２の下側に設けたスペースで、このスペース１１Ｓには図３に示すように電源引込み用のコード３２や、塗装用の機材であるホース類３３等が収納される。また、上記載置棚１２の背面側には、一側に片寄せた状態で多数本の塗料容器３０…を収納するための嵌込穴１３Ｐ…を並設した上下２段の塗料棚１３Ａ，１３Ａが設けられている。
【００１２】
１３，１３は上記２段の塗料棚１３Ａ，１３Ａを支持する前後２枚の支持板、１３Ｔ，１３Ｔは各塗料棚１３Ａ，１３Ａの嵌込穴１３Ｐ…に嵌込まれた塗料容器３０…の底面部を受ける受け台で、２枚の支持板１３，１３の下側部間に架設取付けした台板１４上のスペースが、塗料の溶剤を入れた容器３１…の溶剤収納棚１４Ｈに成っている。更に、塗料棚１３Ａ，１３Ａに対向する反対側のスペース１１Ｔは、台車３８に載せた塗装用のコンプレッサー３７や、その他の機材、装置類を積み込むためのスペースに成っている。
【００１３】
１１Ｈは後部の基板１１′に設けたエンジンチェック用の穴、１７はこの穴１１Ｈを塞ぐパネル板で、取外し自在に構成したこのパネル板１７の上面と基板１１′の上面が、軽鈑金工具や、サンデイング機材、塗装機材、塗装乾燥機（いずれも図示省略）といった、軽補修用の各種機材及び装置類や、後述する簡易組立式軽補修用ブースの積込みスペース１７Ｈ，１１Ｚに成っている。
【００１４】
符号１５で全体的に示したのは上記後部基板１１′上に組み上げた収納棚で、支持脚１５Ａ…によって宙吊り状態に取付けられた棚板１６の上面は、接着テープ、パテ、マスキングペーパといった補修に必要な副資材の載置スペースに成っている。
【００１５】
図５は、上記簡易組立式軽補修用ブースＴＢ（図６）を分解した状態を示したもので、図中、Ｘ，Ｙ，ＺはブースＴＢを構成するパイプ製の骨組と、この骨組に被せるビニールシートを収納した袋、２２はフイルター２３と集塵用のファン及びモータ（図示省略）を備えた換気用の集塵ボックス、２１は集塵ボックス２２とブースＴＢの間を連結するフレキシブルダクトで、ブースＴＢの全体はこの様に分解されて上記後部の積込みスペース１７Ｈ，１１Ｚに積まれる。
【００１６】
図６は簡易組立式軽補修用ブースＴＢの一例を示した組立て斜視図で、ブースＴＢの全体は、複数本のスチール製パイプを接続して組立てた骨組（図示省略）の上に、周囲にカバー片１Ａを垂設した天井シート１を被せ、更に、骨組の三方を囲むように左右両側の壁面シート２Ａ，２Ｃと、背面シート２Ｂを一連的に構成した側壁カーテン２を吊下げると共に、開口された前面口にバネクリップ９…用いてマスキングフイルム８を交換自在に張設することによって、組立式のテント形状に造られている。
【００１７】
尚、図中３は一側の壁面シート２Ａに設けたファスナー付き出入口、５は他側の壁面シート２Ｃに設けた給気フイルター、４は背面シート２Ｂに開口した排気口であって、この排気口４には集塵用フイルター２３と吸引用ブロアーとモータ（図示省略）を備えたキャスター付き集塵ボックス２２が、フレキシブルダクト２１を介して接続自在に構成されている。尚、２０はダクト接続口、２２Ａは集塵ボックス２２の吸引口であって、フレキシブルダクト２１は取外し自在に構成されている。
【００１８】
以上の如く構成した簡易組立式軽補修用ブースＴＢを用いて車両の軽補修を行うには、先ず、車両の補修箇所をマスキングフイルム８の外側に近接させて、当該補修箇所に相当するマスキングフイルム８の部分に、補修穴８Ａをカッターやハサミ等を用いて切欠形成する。
【００１９】
次いで、補修穴８Ａの内側縁を、補修箇所を囲むようにマスキングテープ８Ｔ（両面背着テープ等）を用いて車両のボディー側に接着すれば、前記集塵ボックス２２によって換気（排気）の環境下にあるブース内部から、作業員が前記補修専用車両ＡＭに積み込んで運んで来た各種の補修機材や装置類、或は、資料等を用いて当該補修箇所を補修することができ、且つ、各種装置類等を用いて塗料を調べて、補修箇所の元の色に塗装しなおすことができる。また、補修専用車両ＡＭに積み込まれた各種補修機材や装置類の取出しと、その積み戻しは、補修専用車両ＡＭの各ドアーＭＫ，ＭＫ及びＲＫを開くことによって、極めて簡単に行うことができる。
【００２０】
補修作業終了後は、組立てたブースＴＢを分解して、図５に示すように骨組とビニールシートを各袋Ｘ，Ｙ，Ｚに収納し、これ等と集塵ボックス２２とフレキシブルダクト２１、及び、使用した各種機材や装置類を再び補修専用車両ＡＭに積み込めば、作業現場を完全に撤収できると共に、そのまま次の補修現場に向かうことも可能となる。
【００２１】
尚、図面に示した工具作業棚１０と簡易組立式軽補修用ブースＴＢの構成は実施の一例であって、これ等工具作業棚１０とブースＴＢの構造と形状が図示のものに限定されないことは勿論である。
【００２２】
【発明の効果】
以上述べた次第で、本発明に係る車両用軽補修システムによれば、車両の軽補修に必要な全ての資材と機材及び装置類が補修専用車両の荷台に整然と積み込まれており、加えて、軽補修に不可欠な軽補修用のブースも、簡易組立式に構成されたものが同様に積み込まれていて、この軽補修用ブースの設置スペースがあれば、如何なる場所にも出向いて車両の軽補修を滞りなく済ませることができる。従って、電話やメール等で補修の依頼をすれば、いちいち車両を専門の鈑金塗装工場や整備工場等へ持ち込まなくても、自宅や会社等の駐車場や、近くの空き地或はガソリンスタンド等を利用して、専門の作業員による車両の軽補修を頗る簡単に、短時間のうちに済ませることができるものであって、車両の軽補修を合理的に、且つ、経済的に行うことができる新たなビジネスの構築を可能にするものである。
【図面の簡単な説明】
【図１】本発明で用いる補修専用車両の一例を示した平面図。
【図２】補修専用車両の荷台に組み込まれる工具作業棚の一例を示した斜視図。
【図３】補修専用車両に対する補修用機材及び装置類の積込み状態の一例を示した説明図。
【図４】補修専用車両に対する補修用機材及び装置類の積込み状態の他の例を示した説明図。
【図５】分解して袋詰めにした簡易組立式軽補修用ブースの斜視図。
【図６】簡易組立式軽補修用ブースの組立て状態を示した斜視図。
【符号の説明】
ＡＭ            補修専用車両
１０            工具作業棚
１２Ａ，１２Ｂ，１２Ｃ          載置棚
１３Ａ          塗料棚
１５            収納棚
ＴＢ            簡易組立式軽補修用ブース
２１            フレキブルダクト
２２            集塵ボックス
３０            塗料容器
３１            溶剤容器
３４            調色データの実車見本帳
３５            マイクロフイルムリーダ
３６            塗料調色用ハカリ
３７            コンプレッサー
【図１】
2004344817.tif 000003
【図２】
2004344817.tif 000004
【図３】
2004344817.tif 000005
【図４】
2004344817.tif 000006
【図５】
2004344817.tif 000007
【図６】
2004344817.tif 000008